(57)【特許請求の範囲】
【請求項１】
洗浄水が供給される給水室とノズルストッパとをもつシリンダと、
前記給水室に供給された洗浄水の水圧をうけて前進し前記ノズルストッパに当接するまで前進可能に設けられ、前記給水室の水圧を受ける受圧部と局部に洗浄水を吹き出す吹出口と前記吹出口および前記給水室を連通可能なノズル室とをもつノズルと、前記ノズルを前記シリンダの前記給水室において後退させる付勢力を発揮させる付勢要素とを具備しており、
前記受圧部は、固定部と、
前記固定部に保持され前記ノズルよりも可撓性をもつ材料で形成され且つ少なくとも前記ノズルの前進後退方向に弾性変形可能な弾性体と、
前記弾性体の前記給水室側に隣設された状態で前記固定部に保持され前記給水室の水圧を受圧する受圧面をもち且つ前記弾性体よりも硬質な材料で形成され且つ前記受圧面の受圧に伴い前記弾性体に向けて変位する硬質体と、前記弾性体と前記硬質体との境界領域に形成され且つ前記給水室の水圧増加に伴い前記弾性体および前記硬質体が互いに圧接することで絞り度を高めて前記給水室から前記ノズル室に流れる単位時間当たりの通水量を制限させる水圧応答式の可変絞り通路とを具備する局部洗浄用洗浄ノズル装置。
【請求項２】
請求項１において、前記硬質体は、前記可変絞り通路を経由せずに前記ノズル室と前記給水室とを連通させる固定絞り通路をもつ局部洗浄用洗浄ノズル装置。
【請求項３】
請求項２において、前記硬質体の前記受圧面を前記給水室に露出させるように前記ノズルの前記固定部からの前記硬質体の脱落を抑えるキャップが前記固定部に設けられており、前記キャップは、前記硬質体との間に前記給水室から前記ノズル室への水流をシールするシール部を有する局部洗浄用洗浄ノズル装置。
【発明の詳細な説明】
【技術分野】
【０００１】
本発明は局部を洗浄する温水便座に搭載される洗浄ノズル装置に関する。
【背景技術】
【０００２】
特許文献１には、衛生洗浄装置が開示されている。この装置は、先端側外周面に尻洗浄用給水口とビデ洗浄用給水口を有して内部にピストン駆動用の水が供給されるシリンダと、内部に尻洗浄用流路とビデ洗浄用流路とを有し、シリンダ内に進退自在に嵌挿され水によって前進する洗浄ピストンと、洗浄ピストンを復帰させるばねと、尻洗浄用給水口内に進退自在に配設さればねによって復帰方向に付勢された第１の接続栓と、ビデ洗浄用給水口内に進退自在に配設さればねによって復帰方向に付勢された第２の接続栓とを備える。そして、第１の接続栓は、尻洗浄時に洗浄ピストンが尻洗浄位置に移動すると、洗浄水の水圧によって尻洗浄用給水口から突出して尻洗浄用流路に進入することにより、洗浄ピストンを尻洗浄位置に停止させるとともに、尻洗浄用給水口と尻洗浄用流路とを接続させる。第２の接続栓は、ビデ洗浄時に洗浄ピストンがビデ洗浄位置に移動すると洗浄水の水圧によってビデ洗浄用給水口から突出してビデ洗浄用流路に進入することにより、洗浄ピストンをビデ洗浄位置に停止させるとともに、ビデ洗浄用給水口とビデ洗浄用流路とを接続させる。
【０００３】
特許文献２には、水量制御装置が開示されている。この装置は、流体を吐出するノズルと、ノズルに連通し水量を電気的に可変する水量可変ユニットと、ノズルから吐出する吐出水量を設定指示する水量調節スイッチと、流体の吐出開始時に水量調節スイッチの指示にかかわらず、まず最大水量より小さくかつ最小水量より大きいあらかじめ定められた固定の吐出水量状態を経由した後に水量調節スイッチで設定された吐出水量状態に水量可変ユニットを制御する所定水量開始制御手段を設けている。
【先行技術文献】
【特許文献】
【０００４】
【特許文献１】特開2002-242265号公報
【特許文献２】特許第3168817号公報
【発明の概要】
【発明が解決しようとする課題】
【０００５】
近年、省エネルギの観点から温水の使用量を減らすために局部洗浄の水量が抑制される傾向にあるため、少ない局部洗浄の使用水量であってもノズルを確実に且つ迅速に前進させて伸ばし得ることが求められている。
【０００６】
また、給水室の水圧に応答する水圧応答式のノズルは、モータ駆動式のノズルとは異なり、シリンダの給水室に供給された給水圧(水量)によってノズルを前進させている。ノズルを前進させている途中では、ノズルにかかる給水室の水圧は小さくなる傾向がある。すなわち、水圧応答式のノズルでは、ノズル前進時において、シリンダの給水室に供給された水量によってノズルを前進させているが、ノズルを前進させている途中に、リターンバネの付勢力に逆らってノズルを前進させることで、給水室の水が満ちる容積が増加するため、更に、シリンダの内周面とノズルの外周面との隙間から水が漏れる傾向があるため、給水室の水圧は小さくなる。このため少ない水量でノズルを確実にかつ迅速に前進させて伸ばすためには、必ずしも充分ではなく、局部洗浄に影響を与えるおそれがある。
【０００７】
殊に、マンションやビルのような高層の建築物に設置される局部洗浄装置では、水源である上水道の水圧には限界がある場合がある。このような場合、上水道の水圧が低いため、給水室に供給される水量が比較的小さくなり易い。このような高層の建築物に設置される局部洗浄装置であっても、ノズルを確実に且つ迅速に前進させて伸ばし得ることが求められている。
【０００８】
上記した特許文献１では、ノズル前進用の水路と、お尻・ビデ用の水路とを分けることで上記した問題を改善させているが、構造が複雑となり、コスト高および組付性の低下を招く。更に、『洗浄ピストンが洗浄位置に移動すると、洗浄水の水位によって接続栓が洗浄用給水口から突出して洗浄用流路に進入し、洗浄後にバネによって復帰する』ような構造を採用しても、接続栓が復帰せずに洗浄ピストン（ノズル）が収納位置に戻らない不具合が起きるおそれがある。
【０００９】
特許文献２では、ノズル前進時には予め設定された水量吐出状態に水量可変ユニットを制御し、その後、洗浄時の所定の水量吐出状態に水量可変ユニットを制御すること、すなわち、使用者が弱洗浄モードを選択して操作した際にも、強洗浄並の水量でノズルを前進させ、洗浄が始まる時間的余裕を考慮して弱洗浄の水量に変化させることで、上記問題を改善している。しかし、使用者が弱洗浄モードを選択して弱で洗浄したい場合においても、初期の洗浄強さが意図した洗浄強さよりも大きくなるため、使用者に不快感を与えるおそれがある。
【００１０】
本発明は上記した実情に鑑みてなされたものであり、局部洗浄する場合には、可変絞り通路の絞り作用により給水室からノズル室に供給される水量を絞って相対的に小さな水量で局部を洗浄することができることで、ノズル前進時においては、大きな水量でノズルを確実に且つ迅速に前進させて伸ばすことができる局部洗浄用洗浄ノズル装置を提供することを課題とする。
【課題を解決するための手段】
【００１１】
（１）本発明に係る様相１の局部洗浄用洗浄ノズル装置は、（ｉ）洗浄水が供給される給水室とノズルストッパとをもつシリンダと、（ｉｉ）給水室に供給された洗浄水の水圧をうけて前進しノズルストッパに当接するまで前進可能に設けられ、給水室の水圧を受ける受圧部と局部に洗浄水を吹き出す吹出口と吹出口および給水室を連通可能なノズル室とをもつノズルと、（ｉｉｉ）ノズルをシリンダの給水室において後退させる付勢力を発揮させる付勢要素とを具備しており、（ｉｖ）受圧部は、固定部と、固定部に保持されノズルよりも可撓性をもつ材料で形成され且つ少なくともノズルの前進後退方向に弾性変形可能な弾性体と、弾性体の給水室側に隣設された状態で固定部に保持され給水室の水圧を受圧する受圧面をもち且つ弾性体よりも硬質な材料で形成され且つ受圧面の受圧に伴い弾性体に向けて変位する硬質体と、弾性体と硬質体との境界領域に形成され且つ給水室の水圧増加に伴い弾性体および硬質体が互いに圧接することで絞り度を高めて給水室からノズル室に流れる単位時間当たりの通水量を制限させる水圧応答式の可変絞り通路とを具備する。
【００１２】
本様相によれば、水圧で駆動するノズルとされている。このためノズルが前進端に向けて前進するときには、ノズルの前進に伴い給水室において水が満ちる容積が増加する関係上、給水室の水圧は局部洗浄時よりも相対的に低くなる。また、局部洗浄するときには、ノズルが前進端に到達しているため、給水室において水が満ちる容積の増加が抑えられており、給水室の水圧はノズル前進時に比較して相対的に高くなる。
【００１３】
本様相によれば、局部洗浄時には、前述したように給水室の水圧が相対的に高くなるため、弾性体および硬質体が互いに圧接して可変絞り通路の絞り度は高まり、可変絞り通路を通過する単位時間あたりの通水量は制限され、結果として相対的に少ない水量で局部洗浄できる。
【００１４】
このように局部洗浄時において、可変絞り通路を通過する単位時間あたりの通水量が制限され、相対的に少ない水量で局部洗浄できるため、ノズル前進時において給水室に供給する単位時間当たりの水量を増加させることが可能となり、ひいてはノズルを確実に且つ迅速に前進させて伸ばすことができる。すなわち、ノズルを前進させる前進時においては、局部洗浄時の水量よりも多い水量でノズルを前進端に向けて前進させることができ、確実に且つ迅速にノズルを前進させて伸ばすことができる。
【００１５】
（２）本発明に係る様相２の局部洗浄用洗浄ノズル装置によれば、上記様相において、硬質体は、可変絞り通路を経由せずにノズル室と給水室とを連通させる固定絞り通路をもつ。このように固定絞り通路を硬質体に設けることで、可変絞り通路の水圧差による絞り度の変動幅を低減できるため、強弱洗浄の差が成立するような可変絞り通路形状が様相１の場合よりも簡素化できる。
【００１６】
（３）本発明に係る様相３の局部洗浄用洗浄ノズル装置によれば、上記様相において、硬質体の受圧面を給水室に露出させるようにノズルの固定部からの硬質体の脱落を抑えるキャップが固定部に設けられており、キャップは、ノズルの移動中では給水室の水圧が低く、上記硬質体の弾性体への圧接度が低いとき、硬質体との間でノズル室内に水が流れないようにシールする。これにより、固定部からの硬質体の脱落がキャップにより抑えられると共に、ノズルの前進時に吹出口より、洗浄水が噴出することを防ぐことができる。
【発明の効果】
【００１７】
本発明によれば、ノズルをノズルストッパに当接させて前進端で停止させて局部洗浄する場合には、可変絞り通路の絞り作用により水量を絞って相対的に小さな水量で局部を洗浄することができる。更に、ノズルを前進させる前進時においては、局部洗浄時の水量よりも多い水量でノズルを前進端に向けて前進させることができ、確実に且つ迅速にノズルを前進させて伸ばすことができる。
【図面の簡単な説明】
【００１８】
【図１】実施形態１に係り、ノズルをシリンダの給水室に収容している状態を示す断面図である。
【図２】実施形態１に係り、ノズルをシリンダの給水室から前進させている状態を示す断面図である。
【図３】実施形態１に係り、ノズルをシリンダの給水室から前進させている途中状態を示す要部の断面図である。
【図４】実施形態１に係り、ノズルがストッパに当接してシリンダの給水室の前進端に停止して、洗浄している状態を示す断面図である。
【図５】実施形態２に係り、シリンダの固定部に取り付けられている弾性体、硬質体およびキャップを分解して示す斜視図である。
【図６】実施形態２に係り、シリンダの固定部に取り付けられている弾性体、硬質体およびキャップを分解して異なる方向から示す斜視図である。
【図７】実施形態２に係り、（Ａ）（Ｂ）（Ｃ）は硬質体を示す図である。
【図８】実施形態３に係り、（Ａ）（Ｂ）（Ｃ）は硬質体を示す図である。
【図９】実施形態４に係り、（Ａ）（Ｂ）（Ｃ）は硬質体を示す図である。
【図１０】参考形態に係り、ノズルをシリンダの給水室から前進させている状態を示す断面図である。
【発明を実施するための形態】
【００１９】
受圧部は、ノズルの前進時において、ノズルのうち給水室の水圧を受圧するものであり、ノズルの後端部側に設けられていても良いし、ノズルの軸長方向の中間部に設けられていても良い。受圧部は、固定部と、固定部に保持されノズルよりも可撓性をもつ材料で形成され且つ少なくともノズルの前進後退方向に弾性変形可能な弾性体と、弾性体に隣設された状態で固定部に保持され給水室の水圧を受圧する受圧面をもち且つ弾性体よりも硬質な材料で形成された硬質体と、弾性体と硬質体との境界領域に形成された水圧応答式の可変絞り通路とを有する。可変絞り通路は、絞り度が可変であり、且つ、給水室の水圧増加に伴い弾性体および硬質体を互いに圧接させて絞り度を高めて通水量を制限させる。
【００２０】
（実施形態１）
以下、本発明の実施形態を図１〜図４を参照して説明する。洗浄ノズル装置は温水便座洗浄装置に搭載されるものであり、人体の便局部洗浄用でも、女性局部洗浄用でも良い。図１に示すように、洗浄ノズル装置は、人体の局部を洗浄する水が供給される給水室１０をもつシリンダ１と、シリンダ１に保持されたノズル２と、付勢要素として機能するコイルバネで形成されたバネ３とを有する。シリンダ１は、前進するノズル２を停止させ、シールするためのストッパ１１（ノズルストッパ）を有する。ノズル２は、シリンダ１の給水室１０において矢印Ｆ方向に前進可能、矢印Ｒ方向に後退可能に設けられている。図１に示すように、給水室１０の上流には水量調整バルブ３０１、温水を溜める貯水タンク３０２、調圧止水バルブ３０３、水道管３０４（水源）が直列に並設されている。水量調整バルブ３０１の水量は、洗浄処理のモード（例えば強モード、弱モード）に応じて調整される。ノズル２は、ノズル２の先端側に設けられ局部に向けて洗浄水を吹き出す吹出口２２と、吹出口２２および給水室１０を連通可能なノズル室２３とをもつ。シリンダ１の先端部とノズル２との間には、コイルバネで形成されたリターン用のバネ３がノズル２に対してほぼ同軸的に設けられている。バネ３は、給水室１０においてノズル２の外周側に配置されており、シリンダ１の給水室１０に退避させるようにノズル２を後退方向（矢印Ｒ方向）に常時付勢する。
【００２１】
図３、図４に示すように、ノズル２は、筒形状をなすノズル本体２０と、ノズル本体２０の後端側に形成された受圧部として機能できるピストン２４とをもつ。ピストン２４は、給水室１０の水圧を受圧する径大筒形状とされている。図３、図４に示すように、ピストン２４は、ノズル本体２０と同軸的な筒部２４０と、筒部２４０から外径方向に延設されたリング状の段部２４１と、ノズル本体２０と同軸的に延設された固定孔２４２をもつ筒形状の固定部２４３とをもつ。筒部２４０、段部２４１および固定部２４３は同軸的に設けられている。図３、図４に示すように、ピストン２４は、固定部２４３の固定孔２４２内に保持された弾性体４と、弾性体４に隣設された状態で固定部２４３の固定孔２４２内に保持された硬質体５と、弾性体４と硬質体５との境界領域に形成された水圧応答式の絞り率を示す可変絞り通路６とを有する。弾性体４は中央孔４ｃを有しており、ノズル２よりも可撓性をもつ材料（例えばゴムまたは可撓性樹脂）でリング状に形成されている。弾性体４の可撓性度は、可変絞り通路６の通路断面積を確保できるように適宜選択できる。硬質体５は、弾性体４よりも硬質な材料（例えば硬質樹脂、金属、セラミックス）でリング状に形成されている。硬質体５は、後述する固定絞り通路５６をもつ円盤部５０と、円盤部５０の外周を規定する硬質リング部５１と、硬質リング部５１に連設されノズル２の前進方向（矢印Ｆ方向）に突出する複数の絞り突起５２とをもつ。絞り突起５２は、硬質体５の周方向において間隔を隔てて形成されているため、弾性体４への食い込み性を確保し、絞り度の可変性を確保している。但し、絞り突起５２の前面５２ｘは鋭角状ではなく平坦状とされているため、弾性体４への過剰の食い込みは抑えられ、ひいては可変絞り通路６の絞り度が過剰に高くなることは抑えられている。
【００２２】
弾性体４は、ノズル２の前進後退方向（矢印Ｆ，Ｒ方向）に弾性変形可能である。硬質体５の円盤部５０の背面５７には、給水室１０の水圧を受圧する受圧面５８が形成されている。絞り突起５２は矢印Ｆ方向に移動して弾性体４に食い込むことができる。給水室１０に供給される単位時間当たりの水量が増加して給水室１０の水圧が増加するに伴い、硬質体５の絞り突起５２が弾性体４に食い込んで圧接して可変絞り通路６の絞り度を高め、可変絞り通路６の通路断面積を狭くさせ、可変絞り通路６を通過する単位時間あたりの水の通水量を制限させる。給水室１０に供給される単位時間当たりの水量が低下して給水室１０の水圧が低い場合には、硬質体５の絞り突起５２の弾性体４への食い込み度が低くなるため、可変絞り通路６の絞り度が低くなり、可変絞り通路６の通路断面積を確保できる。このように水圧応答式の可変絞り通路６は、弾性体４と硬質体５の絞り突起５２とで形成されており、給水室１０の水圧に応じて絞り度は可変である。
【００２３】
図３および図４に示すように、硬質体５の受圧面５８の中央域には、固定絞り通路５６が貫通されている。固定絞り通路５６は可変絞り通路６とは独立に設けられており、ノズル室２３と給水室１０とを連通させており、且つ、給水室１０からノズル室２３に向かう水の単位時間当たり水量を絞る。このように硬質体５は固定絞り通路５６をもつ。このため、ノズル２の矢印Ｆ方向への前進を確実にすべく、給水室１０への単位時間あたりの給水量が相対的に多い場合において、給水室１０からノズル室２３に向かう水の水量を固定絞り通路５６により確実に絞ることができ、したがって、ノズル２を洗浄位置に向けて矢印Ｆ方向へ確実に前進させつつも、洗浄位置へ到達後に洗浄モードとなった際に、局部の洗浄感が過剰に強くなることが抑制される。図３に示すように、固定部２４３に保持されている硬質体５の受圧面５８は、給水室１０に対面して露出されている。このため給水室１０に水が供給されると、硬質体５の受圧面５８が受圧した受圧力により、硬質体５を介してノズル２は矢印Ｆ方向に前進できる。
【００２４】
図３、図４に示すように、キャップ７が固定部２４３の固定孔２４２に設けられている。固定部２４３および固定孔２４２は、給水室１０の水圧を受け易いようにノズル２の後端部に位置する。キャップ７は、ノズル２の固定部２４３のリング段状の係合部２４５に圧入されたり溶着されたり接着剤等で固着されているため、キャップ７は固定部２４３に対してそれ以上矢印Ｆ方向に移動しない。キャップ７は、硬質体５の受圧面５８を給水室１０に露出させるようにノズル２の固定部２４３からの硬質体５の脱落を抑える。キャップ７は、係合部２４５に係合するリング部７０と、リング部７０を繋ぐ腕部７１と、腕部７１に隣接する通水孔７２と、腕部７１に連設された中央域に位置するシール突起７３（シール部、当接部）とをもつ。図３および図４に示すように、通水孔７２は、硬質体５の円盤部５０の受圧面５８および給水室１０に対面する。キャップ７は、弾性体４よりも硬質な材料（例えば硬質樹脂、金属、セラミックス）や弾性体４と同様な材料（例えば、ゴム等）で形成されている。
【００２５】
ノズル２の前進時には、図３に示すように、給水室１０の水量が増加することでノズル２をＲ方向へ付勢するバネ３の付勢力よりも大きな力が硬質体５の受圧面５８にかかるため、ノズル２が前進する。この時、硬質体５は、前進時において弾性体４の弾性力により矢印Ｒ方向（ノズル２の後退方向）に付勢される符勢力が受圧面５８に加わる力よりも大きくなるように設定することで、キャップ７のリング部７０に密接した状態を保つことができる。これにより弾性体４の弾性力により硬質体５は矢印Ｒ方向に適度に付勢されてキャップ７のリング部７０の軸端面７０ｃに密接し、硬質体５の背面５７とキャップ７の軸端面７０ｃとの境界域は、シールされてシール形状をなす簡易シール部７５を形成している。簡易シール部７５がシール機能を果たすとき、給水室１０の水は簡易シール部７５を実質的に通過できない。この場合、図３から理解できるように、弾性体４の弾性力により硬質体５は矢印Ｒ方向に付勢されているため、固定絞り通路５６の入口５６ｅはキャップ７のシール突起７３の軸端面７３ｃに対面してシールされている。また、図４に示すようにストッパ１１によってノズル２が停止するまで、給水室１０に供給された水は、給水室１０の容積を増加させると共に、ピストン２４の固定部２４３とシリンダ１との間に生じる隙間から漏れ出すことが可能である。このため、給水室１０内の圧力は、受圧面５８をＦ方向へ押さない程度（受圧面５８を押すことができる最小の力以下）に保たれる。これにより、簡易シール部７５は、受圧面５８に対して過度な力が加わらないためシール性を損なうことがなく、給水室１０の水が固定絞り通路５６からノズル室２３に進入することを抑制することができる。従って、ノズル２が前進するときには、図３から理解できるように、簡易シール部７５から可変絞り通路６を介してノズル室２３に進入する水量は制限される。同様に、固定絞り通路５６を介してノズル室２３に進入する水量は制限される。
【００２６】
次に、局部の洗浄が開始されるときについて説明を加える。図３はノズル２の前進途中を示す。図４は局部洗浄時を示す。洗浄水の水量は水量調整バルブ３０１（図１参照）により調整されている。水量調整バルブ３０１を介して水が給水室１０に供給される。すると、図３から理解できるように、給水室１０の水圧を硬質体５の受圧面５８および固定部２３４が受圧するため、給水室１０において水が満ちる容積が増加する方向に、バネ３の付勢力に抗しつつ、ノズル２は洗浄位置に向けて矢印Ｆ方向に前進する。このようにノズル２が前進しているとき、図３から理解できるように、弾性体４の弾性力により、硬質体５は、矢印Ｒ方向に付勢されてキャップ７のリング部７０の軸端面７０ｃに密接し、硬質体５の背面５７とキャップ７のリング部７０の軸端面７０ｃとの境界域はシールされ、リング状の簡易シール部７５を形成している。更に、弾性体４の弾性力により硬質体５は矢印Ｒ方向に付勢されているため、固定絞り通路５６の入口５６ｅは、キャップ７の絞り突起５２に密接してシールされている。また、給水室１０に供給された水は、ピストン２４の固定部２４３とシリンダ１との間に生じる隙間から漏れ出すことが可能である。従って、前述したように、ノズル２が矢印Ｆ方向に前進するときには、給水室１０に供給される水は、可変絞り通路６からノズル２のノズル室２３に進入することが抑制されている。ひいてはノズル２の吹出口２２から水が吹き出されることが抑制されている。更に、給水室１０に供給された水は、固定絞り通路５６からノズル室２３に進入することが抑制されている。このようにノズル２を矢印Ｆ方向に前進させるときには、給水室１０からノズル室２３ひいては吹出口２２に進入する水量は、簡易シール部７５のシール作用により効果的に制限される。このため給水室１０の水を、ノズル２を矢印Ｆ方向に前進させる前進駆動力として効率良く使用できる。この意味でノズル２を確実に且つ迅速に前進させることができる。更に、ノズル２を給水室１０に退避させる退避性を高めるべく、バネ３の矢印Ｒ方向への付勢力を高めても特段の支障がない。また、ノズル２の移動中に吹出口２２から水が吹き出ないため、使用者の背中等の局部以外を漏らすことがない。
【００２７】
上述したようにノズル２の矢印Ｆ方向への前進が進行すると、図４に示すように、ノズル２の固定部２４３の円錐状のシール面２４３ｃはシリンダ１の円錐状のストッパ１１に当接するため、ノズル２のそれ以上の前進が停止される。ストッパ１１では簡易シール部１３が形成される。この結果、給水室１０に供給された水の水圧が硬質体５の受圧面５８および固定部２４３等に効率よく受圧される。このため、硬質体５が矢印Ｆ方向（ノズル２の前進方向）に弾性体４に向けて前進し、硬質体５の絞り突起５２が弾性体４に圧接しつつ食い込む。この結果、図４に示すように、キャップ７のリング部７０の軸端面７０ｃから硬質体５が離間し、第１微小隙間７６ｆを形成し、簡易シール部７５のシールを解除させる。これにより給水室１０に供給された水は、解除された簡易シール部７５と可変絞り通路６とを介して矢印Ａ１方向（図４参照）に流れてノズル室２３に進入する。更に、図４に示すように、硬質体５が矢印Ｆ方向に移動するため、固定絞り通路５６の入口５６ｅがキャップ７のシール突起７３から離間し、キャップ７と硬質体５との間に第２微小隙間７６ｓを形成する。このため、給水室１０の水は、第２微小隙間７６ｓを介して固定絞り通路５６に矢印Ａ２方向（図４参照）に流れてノズル室２３に進入することができる。ノズル室２３に進入した水は、吹出口２２から局部（便局部または女性局部）に向けて吹き出され、人体の局部を洗浄させる。
【００２８】
このように局部洗浄時において、可変絞り通路６を通過する単位時間あたりの通水量が制限され、相対的に少ない水量で局部洗浄できる本実施形態によれば、ノズル２の前進時において給水室１０に供給する単位時間当たりの水量を増加させることが可能となり、ひいてはノズル２を確実に且つ迅速に前進させて伸ばすことができる。すなわち、ノズル２を前進させる前進時においては、局部洗浄時の水量よりも多い水量でノズル２を前進端に向けて前進させることができ、確実に且つ迅速にノズルを前進させて伸ばすことができる。
【００２９】
また本実施形態によれば、局部洗浄時には、図４に示すようにノズル２の固定部２４３のシール面２４３ｃがシリンダ１のストッパ１１に当接し、ノズル２が前進端で停止されているため、給水室１０において水の満ちる容積が増加せず、給水室１０の水圧が相対的に高くなる。この結果、硬質体５が水圧により矢印Ｆ方向に前進し、硬質体５の絞り突起５２が弾性体４に食い込むため、弾性体４および硬質体５の圧接度が高くなり、水圧応答式の可変絞り通路６の絞り度が高くなり、可変絞り通路６の通路断面積が相対的に狭くなる。このため、給水室１０の水圧が相対的に高いときであっても、給水室１０から可変絞り通路６を介してノズル室２３を経て吹出口２２に向かう水の水量の過剰増加が抑制される。このように、給水室１０の水圧が相対的に高い場合（例えば強洗浄時）や給水室１０の水圧が相対的に低い場合（例えば、弱洗浄時）であっても、水圧応答式の可変絞り通路６の絞りによって、ノズル室２３内に流れ込む水の水量が制限される。
【００３０】
上記本実施形態によれば、ノズル２を前進させる際の給水室１０への給水量を可変絞り通路６を設けない場合と比較して多く設定できるため、前進駆動力を増加させることが可能である。更に、ノズル２の前進が停止した後に洗浄モードへ移行する際には、可変絞り通路６の絞りによってノズル室２３内に流れ込む水の水量が絞られるため、局部の洗浄感（洗浄の水圧）が過剰に強くなることが抑制される。
【００３１】
更に本実施形態によれば、硬質体５が、ノズル室２３と給水室１０とを連通させ且つ給水室１０からノズル室２３に向かう水の水量を絞る固定絞り通路５６を可変絞り通路６のほかに設けることで、給水室１０の水圧差による可変絞り通路６の絞り量の幅を低減できるため、強弱洗浄の差が成立するような可変絞り通路６の形状を簡素化できる利点が得られる。
【００３２】
本実施形態によれば、図３、図４に示すように、硬質体５の受圧面５８を給水室１０に露出させるようにノズル２の固定部２４３からの硬質体５の脱落を抑えるキャップ７がノズル２の固定部２４３に設けられている。固定部２４３からの硬質体５の脱落がキャップ７により抑えられる。硬質体５の受圧面５８は給水室１０に露出されているため、硬質体５の受圧面５８は給水室１０の水圧を効果的に受圧できる。従って受圧面５８が受圧した受圧力により、ノズル２は矢印Ｆ方向へ効率良く前進できる。
【００３３】
本実施形態によれば、前述したようにキャップ７は、固定絞り通路５６の閉鎖度を調整するシール部としてのシール突起７３（図３、図４参照）をもつ。ここで、ノズル２の前進時には、図３に示すように、シール突起７３は、固定絞り通路５６の入口５６ｅの閉鎖度を相対的に高くする（閉鎖度１００％を含む）。このため、ノズル２の前進途中において、給水室１０の水が固定絞り通路５６からノズル室１０に流出することが抑制される。このため給水室１０の水圧を硬質体５の受圧面５８に効果的に作用させてノズル２を効率よく前進させ得る利点が得られる。これに対して、局部洗浄時には、図４に示すように、高い水圧を受圧した硬質体５が前進方向（矢印Ｆ方向）に移動するため、硬質体５と弾性体４との間に微小隙間７６ｆ，７６ｓが形成されて微小隙間７６ｆ，７６ｓに通水可能となる。更に、図４に示すように、シール突起７３は、固定絞り通路５６の入口５６ｅの閉鎖度を相対的に低下させる。このため、給水室１０の水が可変絞り通路６のほかに固定絞り通路５６からもノズル室１０に良好に流入する。
【００３４】
加えて本実施形態によれば、給水室１０は、ノズル３を前進駆動するための水路と、吹出口２２に水を供給させる局部洗浄のための水路とを兼用するため、シリンダ１およびノズル２における水路構造の簡素化を図り得る。更にノズル３は給水室１０の水圧で駆動する方式であるため、ノズル３を前進させるモータを廃止できる。なお、ノズル２の前進時における給水室１０の水圧の如何等によって、ノズル２の前進時においても硬質体５の背面５７とキャップ７の軸端面７０ｃとの間に微小隙間が形成されていても良い。この場合においても、硬質体５の突起５２は、ノズル前進時よりも局部洗浄時に可変絞り通路６の通路断面積を小さく絞るため、ノズル２の前進時よりも相対的に少ない水量で局部洗浄できる。
【００３５】
（実施形態２）
図５〜図７は実施形態２を示す。本実施形態は実施形態１と基本的には同様の構成および同様の作用効果を有する。図５および図６に示すように、弾性体４は中央孔４ｃをもつリング状をなす。硬質体５は、中央域に固定絞り通路５６をもつ円盤部５０と、円盤部５０の外周を規定する硬質リング部５１と、硬質リング部５１に連設されノズル２の前進方向（矢印Ｆ方向）に突出する複数の絞り突起５２と、硬質リング部５１に連設され径外方向（矢印Ｄ方向）に突出する複数の周突起５４と、隣設する絞り突起５２間に形成された第１通路５５ｆと、隣設する周突起５４間に形成された第２通路５５ｓとをもつ。周突起５４および絞り突起５２は、一部重複しつつ、周方向（矢印Ｓ方向）において互い違いに形成されている。絞り突起５２は硬質体５の周方向において断続的に形成されているため、可撓性な弾性体４に当たり、食い込むことができる。図５および図６に示すように、キャップ７は、リング部７０と、リング部７０を繋ぐ腕部７１と、硬質体５の円盤部５０に対面する通水孔７２と、腕部７１に連設された中央域に位置するシール突起７３とをもつ。シール突起７３は硬質体５の固定絞り通路５６に対面してこれを閉鎖可能である。通水孔７２は硬質体５の受圧面５８に対面する。絞り突起５２の前面５２ｘは（図５参照）平坦面であるため、絞り突起５２が弾性体４に過剰に食い込むことが抑制される。従って、可変絞り通路６の絞り度が過剰に高くなることが抑制される。
【００３６】
（実施形態３）
図８（Ａ）〜（Ｃ）は実施形態３を示す。本実施形態は実施形態１，２と基本的には同様の構成および同様の作用効果を有する。図８（Ａ）〜（Ｃ）に示すように、硬質体５Ｃは、固定絞り通路５６をもつ円盤部５０と、円盤部５０の外周を規定する硬質リング部５１と、硬質リング部５１に連設されノズル２の前進方向（矢印Ｆ方向）に突出する複数の主絞り突起５２ｍと、硬質リング部５１に連設され径外方向（矢印Ｄ方向）に突出する複数の周突起５４と、隣設する主絞り突起５２ｍ間に形成された第１通路５５ｆと、隣設する周突起５４間に形成された第２通路５５ｓとをもつ。主絞り突起５２ｍの平坦な前面５２ｘには、副絞り突起５２ｓが前進方向（矢印Ｆ方向）に突設されている。副絞り突起５２ｓは弾性体４との接触面積が小さいため、前記した弾性体４への食い込み性を高めことができる。しかし主絞り突起５２ｍの前面５２ｘ（図８（Ｃ）参照）は平坦であり、弾性体４との接触面積が副絞り突起５２ｓよりも大きいため、弾性体４に対して副絞り突起５２ｓよりも食い込みにくい。従って可変絞り通路６の絞り度が過剰に高くなることが抑制される。
【００３７】
図８（Ｃ）に示すように、硬質体５Ｃの周方向（矢印Ｓ方向）において周突起５４の側面には面取面５９ａが形成されている。更に、周突起５４のうち弾性体に対面するように面取面５９ｂが形成されている。面取面５９ｂは、第１通路５５ｆに指向しつつ、径外方向（矢印Ｄ方向）に向かうにつれて矢印Ｒ方向（弾性体から離間する方向）に向けて後退するように傾斜されている。面取面５９ａ，５９ｂにより第１通路５５ｆへの流水性が高められており、硬質体５Ｃ付近における水の滞留が抑制される。
【００３８】
（実施形態４）
図９（Ａ）〜（Ｃ）は実施形態４を示す。本実施形態は実施形態１，２，３と基本的には同様の構成および同様の作用効果を有する。図９（Ａ）〜（Ｃ）に示すように、硬質体５Ｄは、固定絞り通路５６をもつ円盤部５０と、円盤部５０の外周を規定する硬質リング部５１と、硬質リング部５１に連設されノズル２の前進方向（矢印Ｆ方向）に突出する複数の絞り突起５２Ｄと、硬質リング部５１に連設され径外方向（矢印Ｄ方向）に突出すると共に周方向（矢印Ｓ方向）に間隔を隔てて並設された複数の周突起５４と、隣設する主絞り突起５２間に形成された第１通路５５ｆと、隣設する周突起５４間に形成された第２通路５５ｓとをもつ。硬質リング部５１の平坦な前面には複数の絞り突起５２Ｄが前進方向（矢印Ｆ方向）に突設されている。絞り突起５２Ｄは周方向（矢印Ｓ方向）に間隔を隔てて並設されており、硬質体５Ｄは絞り突起５２Ｄを除いて、硬質材料（例えば硬質樹脂、金属、セラミックス）で形成されている。
【００３９】
絞り突起５２Ｄは、弾性変形し易いように、硬質リング部５１および円盤部５０よりも可撓性をもつ材料（例えばゴム、可撓性樹脂）で形成されている。このように絞り突起５２Ｄは弾性材料で形成されているため、高い圧縮変形性をもつ。図９（Ｃ）に示すように、周方向（矢印Ｓ方向）において周突起５４の側面には面取面５９ａが形成されている。更に、周突起５４のうち弾性体に対面するように面取面５９ｂが形成されている。面取面５９ｂは、径外方向（矢印Ｄ方向）に向かうにつれて矢印Ｒ方向に向けて後退するように傾斜されている。面取面５９ａ，５９ｂにより第１通路５５ｆへの流水性が高められており、硬質体５Ｄ付近における水の滞留が抑制される。
【００４０】
（参考形態）
図１０はノズル２が前進している参考形態を示す。本参考形態は前記した各実施形態と基本的には同様の構成および同様の作用効果を有する。但し弾性体を廃止している。硬質体としては、弾性材料で形成された可撓性の絞り突起５２Ｄをもつ硬質体５Ｄ（図９参照）が使用されている。絞り突起５２Ｄは、弾性変形し易いように、硬質樹脂や金属等で形成された硬質リング部５１および円盤部５０よりも可撓性な弾性材料（例えばゴム、可撓性樹脂、多孔質体）で形成されており、前述したように絞り度を可変にできる可変絞り通路６を形成できる。
【００４１】
このような参考形態では図１０に示すように弾性体４を廃止している。給水室１０に給水されると、ノズル２が矢印Ｆ方向に移動してノズルストッパに当接して停止する。この場合、局部洗浄時では、給水室１０の水圧が高くなるため、これを受圧した硬質体５Ｅが矢印Ｆ方向に移動して可撓性の絞り突起５２Ｄがノズル２の固定部２４３の当接面２４９（絞り突起５２Ｄよりも硬質）に圧接される。これにより可撓性をもつ絞り突起５２Ｄが圧潰されるように弾性変形する。この結果、局部洗浄時において、可変絞り通路６の通路断面積を狭くさせて可変絞り通路６の絞り率を高め、単位時間あたりの通水量を制限させる。これに対して、ノズル前進時では、給水室１０の給水圧があまり高くならないため、硬質体５Ｅの受圧面５８が水圧を受圧する受圧力は小さく、硬質体５Ｅは矢印Ｆ方向にあまり変位しない。この場合、可撓性の絞り突起５２Ｄの圧潰度は低く、可変絞り通路６の通路断面積が確保され、可変絞り通路６の絞り率は低い。このような本参考形態においても、基本的には請求項１の本発明と共通する作用効果が得られる。この場合、次のように技術的思想の付記項１が得られる。
【００４２】
（付記項１）（ｉ）洗浄水が供給される給水室とノズルストッパとをもつシリンダと、（ｉｉ）給水室に供給された洗浄水の水圧に基づいてノズルストッパに当接するまで前進可能に設けられ、局部に洗浄水を吹き出す吹出口と吹出口および給水室を連通可能なノズル室とをもつノズルと、（ｉｉｉ）ノズルをシリンダの給水室において後退させる付勢力を発揮させる付勢要素とを具備しており、（ｉｖ）ノズルのうち給水室の水圧を受圧する受圧部は、当接面をもつ固定部と、固定部に保持され給水室の水圧を受圧する受圧面と可撓性な弾性材料で形成された絞り突起とをもち、受圧面の受圧に伴い当接面に向けて変位する硬質体と、当接面と硬質体との境界領域に形成され絞り度が可変であり且つ給水室の水圧増加に伴い当接面および硬質体の絞り突起が圧接して絞り度を高めて単位時間当たりの通水量を制限させる水圧応答式の可変絞り通路とを具備する局部洗浄用洗浄ノズル装置。
【００４３】
この場合、給水室の水圧が高い方が、可変絞り通路の絞り率が高く、可変絞り通路の通路断面積が小さくなる。このため、局部洗浄する場合には、可変絞り通路の絞り作用により給水室の水量を絞って相対的に小さな水量で局部を洗浄することができる。更に、ノズル前進時においては、大きな水量でノズルを確実に且つ迅速に前進させて伸ばすことができる。
【００４４】
（その他）
上記した実施形態１に係る図３では、ノズル２の前進時において、硬質体５の背面５７がキャップ７の軸端面７０ｃに接触している状態として図示されているが、これに限らず、硬質体５の突起５２は、給水室１０の水圧の如何等によっては、ノズル２の前進時においても硬質体５の背面５７とキャップ７の軸端面７０ｃとの間に微小隙間が形成されていても良い。硬質体５には固定絞り通路５６が形成されているが、固定絞り通路５６は形成されていなくても良い。実施形態１では、ノズル２が後退する方向（矢印Ｒ方向）において、弾性体４、硬質体５、キャップ７が順に並設されているが、これに限らず、硬質体５の脱落を抑える機能を果たすキャップ７に相当する部位をノズル２の固定部２４３に一体的に設ければ、キャップ７を廃止させることもできる。例えば、硬質体５の脱落を抑える機能を果たすキャップに相当する部位をノズル２の固定部２４３に設けることにしても良い。バネ３はコイルバネとされているが、これに限定されるものではない。本発明は上記し且つ図面に示した実施形態のみに限定されるものではなく、要旨を逸脱しない範囲内で適宜変更して実施できる。
【符号の説明】
【００４５】
１はシリンダ、１０は給水室、１１はストッパ、２はノズル（ノズル）、２０はノズル本体、２２は吹出口、２３はノズル室、２４はピストン（受圧部）、２４３は固定部、３はバネ（付勢要素）、４は弾性体、５は硬質体、５０は円盤部、５２は絞り突起、５５ｆは第１通路、５５ｓは第２通路、５６は固定絞り通路、５７は背面、５８は受圧面、６は可変絞り通路、７はキャップ、７０はリング部、７１は腕部、７２は通水孔、７３はシール突起（シール部）、７５は簡易シール部を示す。
【図１】
0005800181.tif 000002
【図２】
0005800181.tif 000003
【図３】
0005800181.tif 000004
【図４】
0005800181.tif 000005
【図５】
0005800181.tif 000006
【図６】
0005800181.tif 000007
【図７】
0005800181.tif 000008
【図８】
0005800181.tif 000009
【図９】
0005800181.tif 000010
【図１０】
0005800181.tif 000011